(57)【要約】【課題】耐久性があり、筆記するときに、ペン軸全長に亘って安定して握り易く、指に馴染むようにする。【解決手段】ペン軸２の先端部側を分割形状で弾性変形可能なグリップ本体３とした。又、ペン軸２の後端部側をペン軸２に保持可能な保持体４とした。この保持体４とグリップ本体３の間を弾性変形可能な連結体５で連結しペン軸全長に亘って保持するグリップ１とした。グリップ本体３の分割された突き出し部６は、弾性変形によりペン軸２を保持する。【選択図】  図１
2009178852.tif 000002
【特許請求の範囲】
【請求項１】
筆記具（２）の握り部位に装着され、先端部が前記筆記具の軸線の回りに配置され、分割された３つの突き出し部（６）を有したグリップ（１）を備えた筆記具であって、
前記グリップ（１）は、この内面の一部が前記筆記具（２）に保持可能に構成され、前記グリップ（１）を構成し、筆記具の使用者の指が接触するための指接触部（１０）に軟質樹脂弾性体が装着されているグリップ本体（３）と
からなる  ことを特徴とする筆記用グリップを装着した筆記具。
【請求項２】
請求項１に記載の筆記用グリップを装着した筆記具において、
前記グリップ本体（３）の材質は、硬質樹脂であることを特徴とする筆記用グリップを装着した筆記具。
【請求項３】
請求項１に記載の筆記用グリップを装着した筆記具において、
前記突き出し部（６）は、内部に柔軟な緩衝用の素材を有した封入体（８）を備えていることを特徴とする筆記用グリップを装着した筆記具。
【請求項４】
請求項１に記載の筆記用グリップを装着した筆記具において、
前記指先接触部（１０）は、熱可塑性エラストマーで構成されていることを特徴とする筆記用グリップを装着した筆記具。
【請求項５】
請求項３に記載の筆記用グリップを装着した筆記具において、
前記封入体（８）は、低硬度の柔軟な樹脂の外皮からなることを特徴とする筆記用グリップを装着した筆記具。
【請求項６】
請求項１に記載の筆記用グリップを装着した筆記具において、
前記グリップ（１）は、前記グリップ本体（３）と、前記筆記具（２）をこの外周から保持する保持部（４）と、前記グリップ本体（３）と保持部（４）とを連結し弾性変形可能なアーチ状部分からなる連結体（５）を有していることを特徴とする筆記用グリップを装着した筆記具。
【請求項７】
請求項６に記載の筆記用グリップを装着した筆記具において、
前記保持部（４）は、被服に係止するための差し込み部材（１１）を設けた構成になっていることを特徴とする筆記用グリップを装着した筆記具。
【発明の詳細な説明】
【技術分野】
【０００１】
本発明は、筆記用グリップを装着した筆記具に関する。更に詳しくは、ペン等の筆記具に着脱自在、又は固定された筆記用グリップを装着した筆記具に関する。
【背景技術】
【０００２】
鉛筆やボールペン等の筆記具は、表面が塗料が塗布されているか、又はプラスチック等の素材が露出しており、使用するときに一般的には滑りやすい表面になっている。このため、従来からこのような滑りを解消するために、既存の鉛筆やボールペン等に挿通させ、指接触部を滑り難くした種々のグリップが提案されている。又このグリップは握り易くするための改良もなされている。
【０００３】
即ち、鉛筆やボールペン等の握り部位の表面を、滑りにくい構成にした一体形状の施されたグリップや、エラストマー等で表面を滑り難くした筒状のものを、鉛筆やボールペン等に装着して使用するグリップ等が知られている。又、握り易くする構成として、この筒状の部分を袋状体として、この中に液体等を封じたもの等も知られている。この筒状のグリップは、シリコーンゴム等が一般的に多く使用されている。
【０００４】
次にこれら従来例の中で、筒状体で既存の鉛筆やボールペン等に装着されるグリップの例を説明する。例えば、グリップ用ゴム体として、人それぞれの握り方によく馴染むようにするものとして、グリップ部材の表面に非晶性炭素膜を形成したグリップが提案されている（例えば、特許文献１参照）。又、ペングリップとして、三角形状の断面として外形を太くし、かつ握り易く弾性を有する材質のものとし、ゴム磁石の作用で指を疲れ難くしたグリップが提案されている（例えば、特許文献２参照）。
【０００５】
更に、筆記具の使用者の手や握り方に合ったグリップの形状設定を容易にするものとして、筆記具軸部の外周に圧搾が加わることで、容易に変形可能となる弾性体の層と、その弾性体の外周に形状を記憶する形状記憶樹脂体の層が一体に設けられたグリップが提案されている（例えば、特許文献３参照）。更に、グリップ自体を着脱できる構成のものではないが、グリップ本体の軟質円筒と軟質外筒との間に、軟質外筒に適度の弾性力を付与するための封入物を封入したグリップも提案されている（例えば、特許文献４参照）。
【０００６】
【特許文献１】特開２００１−１６２９８５号公報
【特許文献２】特開平１１−２７７９７７号公報
【特許文献３】特開平１１−３１４４８５号公報
【特許文献４】特開平８−１６４６９２号公報
【発明の開示】
【発明が解決しようとする課題】
【０００７】
しかしながら、従来の筒状のグリップの多くは、全体がゴム、エラストマーによるものである。長時間使用あるいはペン軸等への着脱回数が多くなると、ゴム、エラストマーは柔らかい材質のものなので、滑り難くしてあるとはいえ、手や指の油、体温の影響等で、グリップに劣化が生じ耐久性に問題が生じるおそれがある。又、ペン軸へ挿入するときのめくれのおそれがあることも問題である。更に、指の形に合わせたグリップ部材も知られているが、人の手の形状は人それぞれであり、全ての人の手に合わせる汎用的なものとはいえない。
【０００８】
このようなことから前述の特許文献に、ある程度考慮された改良案が示されている。しかし、例えばシリコーンゴムよりなるグリップ部材の握り部分の表面に非晶性炭素膜を形成し硬度を高めた例もあるが、ペン軸等への保持形態はシリコーンゴムであるので、傷が付き易く劣化のおそれもあり、その解決すべき問題点は変わらない。又、グリップ部材を袋状体とし液体を封入し、握り部分を低硬度にしたものにおいては、袋状体を厚くする必要から表面硬度はむしろ高くなる傾向にあり、理想通りには実現困難である。
【０００９】
更に、従来のグリップ形態は鉛筆やボールペンの先端部分に関するものが多く、このペン軸全長に亘っての握りバランスを考慮したグリップの提案にはなっていない。本発明はこのような従来の問題点を解決するために創案されたもので、次の目的を達成する。本発明の目的は、耐久性があり、ペン軸全長に亘って安定して握り易く、指に馴染み疲れを感じさせない構成にした筆記用グリップを装着した筆記具の提供にある。
【課題を解決するための手段】
【００１０】
本発明は、前記目的を達成するために次の手段をとる。
本発明１の筆記用グリップを装着した筆記具は、筆記具（２）の握り部位に装着され、先端部が前記筆記具の軸線の回りに配置され、分割された３つの突き出し部（６）を有したグリップ（１）を備えた筆記具であって、前記グリップ（１）は、この内面の一部が前記筆記具（２）に保持可能に構成され、前記グリップ（１）を構成し、筆記具の使用者の指が接触するための指接触部（１０）に軟質樹脂弾性体が装着されているグリップ本体（３）とからなることを特徴とする。
【００１１】
本発明２の筆記用グリップを装着した筆記具は、本発明１において、前記グリップ本体（３）の材質は、硬質樹脂であることを特徴とする。
本発明３の筆記用グリップは、本発明１において、前記突き出し部（６）は、内部に柔軟な緩衝用の素材を有した封入体（８）を備えていることを特徴とする。
【００１２】
本発明４の筆記用グリップを装着した筆記具は、本発明１において、前記指先接触部（１０）は、熱可塑性エラストマーで構成されていることを特徴とする。
本発明５の筆記用グリップを装着した筆記具は、本発明３において、前記封入体（８）は、低硬度の柔軟な樹脂の外皮からなることを特徴とする。
【００１３】
本発明６の筆記用グリップを装着した筆記具は、本発明１において、前記グリップ（１）は、前記グリップ本体（３）と、前記筆記具（２）をこの外周から保持する保持部（４）と、前記グリップ本体（３）と保持部（４）とを連結し弾性変形可能なアーチ状部分からなる連結体（５）を有していることを特徴とする。
本発明７の筆記用グリップを装着した筆記具は、本発明６において、前記保持部（４）は、被服に係止するための差し込み部材（１１）を設けた構成になっていることを特徴とする。
【発明の効果】
【００１４】
以上説明したように、弾性変形力でペン軸を保持する構成のグリップとした。このため、ペン軸全長に亘って安定して握り易く、指に馴染む構成のグリップとなった。このため、長時間の使用においても、グリップのペン軸との接触部に劣化がなく、又、握り感覚がよくなり、疲れのない効果をもたらすグリップとなった。
【発明を実施するための最良の形態】
【００１５】
以下、本発明に関する実施の形態を図面に基づき説明する。図１は、本発明の筆記用グリップを装着した筆記具（以下、「グリップ」という。）の全体構成を示す外観図である。このグリップは種々の分野で適用可能であるが、本発明は筆記用に限定し、実施の形態はボールペン等のペン軸に適用して着脱可能な形態のグリップとして説明する。
【００１６】
図１は既存のペン軸２に、グリップ１を挿通させた実施の形態を示すものである。図２は、図１のＡ−Ａ断面図である。図３は、グリップ本体３の突き出し部の構成を分解して示した説明図である。図において、グリップ１は、概略するとペン軸２のペン先側のグリップ本体３と、後端の保持部４と、この保持部４及びグリップ本体３を連結する連結体５と、から構成されている。グリップ本体３は、概略すると中心が円筒空間が形成された円筒状をしたものであり、筆記具２の握り部を構成する。グリップ本体３の先端部は、筆記具１の軸線の回りに配置され、等分割され割けた３つの突き出し部６を形成している。
【００１７】
又、保持部４は後端側のペン軸２に嵌り込んでいて、ペン軸２に保持されている。連結体５は、ペン軸２を覆うような形態で、ペン軸２の外周面に接することなく、弓状の曲率を有してその前後がグリップ本体３及び保持部４にそれぞれ連結されており、図は弾性変形可能な一枚の湾曲の板材形状となっている。グリップ１は、概略このような構成になっていて、次にその詳細な構成について説明する。突き出し部６は、弾性変形可能になっていて、図２の矢印で示すように、ペン軸２を半径方向にそれ自身の弾性力で押圧し、ペン軸２のペン先端を一体的に把持し保持している。
【００１８】
突き出し部６は各々個別に分割されているので、個々に指でペン軸２への押圧が可能である。言い換えると、三つの突き出し部６は、個々にそれぞれ押圧力が異なる。このグリップ１がペン軸２に装着されたとき、常にこの突き出し部６がペン軸２を押圧して、グリップ１とペン軸２が一体化されて筆記具となる。グリップ本体３を弾性変形可能にしてペン軸２を保持する構成は、ペン軸２の外径が多少異なっていても弾性範囲でカバーできるので、それに対応できる利点がある。
【００１９】
グリップ本体３、連結体５、及び保持部４の材質は、本例ではポリカーボネートである。このグリップ１は、一般的な射出成形により製造される。ポリカーボネートは軽量で、耐衝撃性、耐熱性、難燃性、透明性等の利点のあるプラスチック材である。シリコーンゴム等に比し、長時間の使用に対しては耐久性がある。又、このグリップ本体３の材質は、ポリカーボネートに限定されず、他の材質、例えばポリプロピレンであってもよい。ポリプロピレンは熱可塑性の樹脂で強度が大きく、吸湿性があり、成形の容易な樹脂である。即ち、適度な耐熱性、機械的強度を有したプラスチック材料であるポリアミド系樹脂、ポリアセタール、ポリエチレンテレフタレート、ポリブチレンテレフタレート、ポリフェニレンスルフィド、ポリイミド等であっても良い。
【００２０】
突き出し部６は使用者の指の部位にそれぞれ接触し、筆記時は常に指圧がかかっていて、この指圧によりこれが弾性変形しペン軸２側に押圧する。この突き出し部６は、ダンパー効果を生じさせる構造を有している。即ち、突き出し部６の押圧部を指圧により凹ませるようにし、ダンパー効果を生じさせている。この構造は、図３に示すように、突き出し部６に形成された凹部７、封入体８、被覆体９からなる。封入体８は、内部に柔軟物質である低硬度樹脂のゲル状物、あるいは水、シリコンオイル等の液体を内部に封入したものである。封入体８の外形は、楕円球状であり、その外皮は、ブタジエン等の合成ゴム又は天然ゴム、シリコン、合成樹脂エラストマー等から作られている。
【００２１】
この封入体８は、突き出し部６に形成された楕円状の凹部７に挿入され配置される。封入体８を凹部７に固定するために、ポリカーボネート製で、環状の楕円形状をした被覆体９で挟むようにして封入体８を被せて、これを突き出し部６に固定したものである。この固定は、超音波溶接、接着、機械的な固定方法等である。なお、封入体８の内部に緩衝材を封入することなく、これ全体をゴム状弾性の高分子、即ち、シリコン、ブタジエン等の合成ゴム、オレフィン系合成ゴム、熱可塑性エラストマー等で構成しても良い。
【００２２】
この被覆体９の中央部の開口部は、薄肉の熱可塑性エラストマー製の指接触部１０が貼り付けてあるので、指先への感触を柔軟にさせている。従って、指圧により突き出し部６の熱可塑性エラストマー１０を押圧すると、指圧力は封入体８によりダンパー効果をもたらして一時的にクッション状に動作し、続いて押圧すると突き出し部６の凹部７からの弾性力の反発力があり、微妙な力が指にかかることになる。なお、薄肉の熱可塑性エラストマー製の指接触部１０を配置することなく、直接的に指が封入体８が接触するものであっも良い。特に、封入体８の全体をシリコン、ブタジエン等の合成ゴム、熱可塑性エラストマー等で構成したものは、この構造のものが簡素で良い。
【００２３】
この筆記具は、以上詳記したような構造を備えているので、指に対し手がかり感がよくなり、グリップ本体３を介してペン軸２をしっかりと安定的に把持することができる。又、指先のグリップ感とともに、指、手で同時にペン軸２の中間部を支えることになり、その中間部にはグリップ１の連結体５が位置している。この連結体５は、アーチ状の形状をしているので弾性変形が可能になるので、中間部を支えるときはこの連結部５を弾性変形させながら押圧し、柔軟な感触でペン軸２を支えることになる。
【００２４】
このように指先によるペン軸２側の支持と、中間部に対して連結体５を介して間接的に弾性変形の微妙な反発力の感覚での支持と、２つの支持が相まってペン軸２を支える。この把持状態がペン軸２をしっかり安定的に支持し、長時間使用しても疲れのない安定したペン動作を行えるグリップ１とし、そのグリップ感を向上させている。
【００２５】
図１に示す連結部５は一枚の板状材を湾曲形状にしたもので、その端部でグリップ本体３と保持部４を連結している。しかしこの形状は、図１に図示した形状に限定されることはない。複数の湾曲した板状材であってもよく、弾性変形するものであればその形状にとらわれることはない。ペン軸２の後端部の保持部４は、環状体になっていてペン軸２に挿通するようになっている。従って、使用中にグリップ１がペン軸２から離脱するようなことは避けられる。
【００２６】
さらに、この保持部４にはポケット等に差し込むための差込部材１１を設けているので、使用後このペン軸２をポケット等に収納することができる。このようなことから、この保持部４をキャップと称してもよい。又、図はこの保持部４を環状形としているが、一部を割いて開放し弾性変形可能な構成にしてもよい。これにより、この保持部もペン先側の構成と同様に、ペン軸を弾性力で保持することができる。
【００２７】
突き出し部６において、図はペン軸２に直接嵌め込む形態としているが、このグリップ１をさらにペン軸２から離脱させ難い構成にする方法として、グリップ本体３の内径部、即ち挿通穴１２にエラストマーを薄く設ける構造にして摩擦力を高めるようにしてもよい。又、グリップ本体内径部、即ち挿通穴１２に細かい凹凸面、即ちギザギザ面を設けるようにしてもよい。
【００２８】
本実施の形態は、前述したとおりグリップ１の本体構成を、シリコーンゴム等のゴム組成体にせず、ポリカーボネート等の樹脂体で一部を割いた構成の弾性変形可能な構成にしている。このため、長時間の使用に伴って発生する指の油の汚れ、劣化等のトラブルは避けられる。従って、長時間使用しても安定して清潔に保つことができる構成になっている。
【００２９】
更に、ペン軸全長に亘ってグリップを挿通させる形態としたので、グリップに種々のデザインを施し、美観上の効果を高めることも可能である。又、保持部はペン軸を保持可能としているが、ペン軸が短い場合、ペン軸をグリップ本体のみで保持し、保持部はペン軸なしで連結部と合わせ指支持体としての機能で使用してもよい。又、グリップはグリップ本体、保持部、連結部を一体的にした構成で説明したが、各々を別部材として相互に取り付けられる構成にしてもよい。
【００３０】
以上実施の形態を説明したが、本発明は実施の形態で説明した内容に限定されないことはいうまでもない。
【図面の簡単な説明】
【００３１】
【図１】図１は、本発明の筆記用グリップを装着した筆記具の外観図で、ペン軸に挿通された状態を示している。
【図２】図２は、図１のＡ−Ａ断面図である。
【図３】図３は、グリップ本体の指握り部の構成を分解して示した説明図である。
【符号の説明】
【００３２】
１…グリップ
２…ペン軸
３…グリップ本体
４…保持部
５…連結部
６…突き出し部
７…凹部
８…封入体
９…被覆体
【図１】
2009178852.tif 000003
【図２】
2009178852.tif 000004
【図３】
2009178852.tif 000005